(57)【要約】【課題】複数の関連しあう物品を構成情報や画像などを用いることにより、物品の数よりも少ないＲＦＩＤタグを用いて管理する物品管理技術を提供すること。【解決手段】ＲＦＩＤタグ１０２を物品に貼付し、該ＲＦＩＤタグに書き込まれたＲＦＩＤタグ情報を読み出して当該物品を含む一組として取り扱われる複数の物品を管理する技術であって、物品の発注情報および納品物品に係る情報（購買情報ＤＢ１０３）と、納品物品から収集される接続情報（接続情報ＤＢ１０４）と、納品物品を撮影して得られる画像情報と、前記物品に貼付されたＲＦＩＤタグから得られるＲＦＩＤタグ情報とを関連付け、前記物品に関するＤＢ（機器ＤＢ１１２、細分ＤＢ１１３、ソフトＤＢ１１４、画像ＤＢ１１５、画像枠ＤＢ１１６）を生成するとともに、これらのＤＢを用いて物品を管理するための画面を生成する情報処理手段（１０８〜１１１）からなる。【選択図】図１
2008152427.tif 000002
【特許請求の範囲】
【請求項１】
ＲＦＩＤタグ（Radio Frequency Identification TAG）を物品に貼付し、該ＲＦＩＤタグに書き込まれた情報（ＲＦＩＤタグ情報）を読み出して当該物品を含む一組として取り扱われる複数の物品を管理する物品管理システムであって、
物品の発注情報および納品物品に係る情報と、納品物品から収集される接続情報と、納品物品を撮影して得られる画像情報と、前記物品に貼付されたＲＦＩＤタグから得られるＲＦＩＤタグ情報とを関連付け前記物品に関するＤＢを生成するとともに、該ＤＢを用いて物品を管理するための画面を生成する情報処理手段とを有することを特徴とする物品管理システム。
【請求項２】
請求項１記載の物品管理システムにおいて、
前記ＤＢは、
物品の発注情報および納品物品の情報を含む購買情報を記憶する購買情報ＤＢと、
納品物品をＬＡＮに接続した際に該ＬＡＮを介して収集されるソフトウェアを含む接続情報を記憶する接続情報ＤＢと、
管理対象となる物品についての情報を記憶する機器ＤＢと、
管理対象となる物品とともに利用される物品についての情報および管理対象となる物品に貼付された前記ＲＦＩＤタグから読み込まれるＲＦＩＤタグ情報を保持する細分ＤＢと、
管理対象となる機器に導入されているソフトウェアについての情報を保持するソフトＤＢと、
管理対象となる物品またはＲＦＩＤタグにより管理される物品を撮影して得られた画像情報を記憶する画像ＤＢと、
管理対象となる物品またはＲＦＩＤにより管理される物品の画像のどの部分が該当するかを示す画像枠の情報を記憶する画像枠ＤＢとからなることを特徴とする物品管理システム。
【請求項３】
請求項１または２記載の物品管理システムにおいて、
前記情報処理手段は、
前記購買情報ＤＢから購買情報を読み込み、前記機器ＤＢおよび細分ＤＢへ購買情報を書き込む情報取込処理手段と、
前記接続情報ＤＢから接続情報を受取り、機器ＤＢおよびソフトＤＢへ接続情報を提供する端末検出処理手段と、
前記画像ＤＢから機器に関連付けた画像を取り込む画像取込処理と、画像から画像枠を判別し、前記画像枠ＤＢに情報を登録する画像枠判別処理を行う画像処理手段と、
前記各ＤＢを必要な組合せで読み書きし情報一覧の表示を行う一覧表示処理および画像枠と細分の紐付けを行う画像枠登録処理およびＲＦＩＤと細分の紐付けを行う細分登録処理を行う資産管理処理手段
からなることを特徴とする物品管理システム。
【請求項４】
ＲＦＩＤタグ（Radio Frequency Identification TAG）を物品に貼付し、該ＲＦＩＤタグに書き込まれた情報（ＲＦＩＤタグ情報）を読み出して当該物品を含む一組として取り扱われる複数の物品を管理する物品管理用プログラムであって、
コンピュータを請求項１から３のいずれかに記載の各手段として機能させるための物品管理用プログラム。
【請求項５】
ＲＦＩＤタグ（Radio Frequency Identification TAG）を物品に貼付し、該ＲＦＩＤタグに書き込まれた情報（ＲＦＩＤタグ情報）を読み出して当該物品を含む一組として取り扱われる複数の物品を管理する物品管理方法であって、
物品の発注情報および納品物品に係る情報と、納品物品から収集される接続情報と、納品物品を撮影して得られる画像情報と、前記物品に貼付されたＲＦＩＤタグから得られるＲＦＩＤタグ情報とを関連付け前記物品に関するＤＢを生成するＤＢ生成ステップと、該ＤＢを用いて物品を管理するための画面を生成して表示装置に表示する画面生成表示ステップとを有することを特徴とする物品管理方法。
【請求項６】
請求項５記載の物品管理方法において、
前記ＤＢは、物品の発注情報および納品物品の情報を含む購買情報を記憶する購買情報ＤＢと、納品物品をＬＡＮに接続した際に該ＬＡＮを介して収集されるソフトウェアを含む接続情報を記憶する接続情報ＤＢと、管理対象となる物品についての情報を記憶する機器ＤＢと、管理対象となる物品とともに利用される物品についての情報および管理対象となる物品に貼付された前記ＲＦＩＤタグから読み込まれるＲＦＩＤタグ情報を保持する細分ＤＢと、管理対象となる機器に導入されているソフトウェアについての情報を保持するソフトＤＢと、管理対象となる物品またはＲＦＩＤタグにより管理される物品を撮影して得られた画像情報を記憶する画像ＤＢと、管理対象となる物品またはＲＦＩＤにより管理される物品の画像のどの部分が該当するかを示す画像枠の情報を記憶する画像枠ＤＢとからなることを特徴とする物品管理方法。
【請求項７】
請求項５または６記載の物品管理方法において、
前記ＤＢ生成ステップは、前記購買情報ＤＢから購買情報を読み込み、前記機器ＤＢおよび細分ＤＢへ購買情報を書き込む情報取込処理ステップと、前記接続情報ＤＢから接続情報を受取り、機器ＤＢおよびソフトＤＢへ接続情報を提供する端末検出処理ステップと、前記画像ＤＢから機器に関連付けた画像を取り込む画像取込処理と、画像から画像枠を判別し、前記画像枠ＤＢに情報を登録する画像枠判別処理を行う画像処理ステップと、前記各ＤＢを必要な組合せで読み書きし情報一覧の表示を行う一覧表示処理および画像枠と細分の紐付けを行う画像枠登録処理およびＲＦＩＤと細分の紐付けを行う細分登録処理を行う資産管理処理ステップとを有することを特徴とする物品管理方法。
【発明の詳細な説明】
【技術分野】
【０００１】
本発明は、ＲＦＩＤタグ（Radio Frequency Identification TAG）と通信して複数の物品を管理する物品管理技術に係り、特に、複数の関連しあう物品を構成情報や画像などを用いることにより、物品の数よりも少ないＲＦＩＤタグを用いて管理することが可能な物品管理システムおよび物品管理方法ならびに物品管理用プログラムに関するものである。
【背景技術】
【０００２】
企業で使用するＰＣ機器が増えるに従い、これらＰＣ機器に関する物品管理は複雑で手間の掛かるものとなっている。物品管理の手間を減らすためのシステムとして、ＲＦＩＤタグを利用した物品管理システムが従来から知られている。ＲＦＩＤタグとは、集積回路にＩＤ番号もしくはそれと同等な識別情報を内蔵し、外部から無線手段によりその情報を読み取ることができるようにしたものである。
【０００３】
この物品管理システムは、例えば管理対象である物品１つ１つに貼付されたＲＦＩＤタグと通信装置との間で交信し、該交信により得られたＩＤコードなどから、あらかじめＩＤコードと対応付けられて格納されている備品管理情報を検索し、該検索により得られた備品管理情報を用いて物品を管理するものである。ＲＦＩＤタグを用いた物品管理システムの従来技術としては、例えば下記の特許文献１，２，３に開示された技術が挙げられる。
【０００４】
（ａ）特開２００５−２１５９５９号公報（特許文献１）に開示されたものは、本体に添付される第１無線タグ（本体タグ）に本体の情報と本体以外の全ての付属品の情報とを書き込み、本体以外の付属品に添付される第２無線タグ（付属タグ）に本体の情報と該第２無線タグが添付される付属品の情報とを書き込んでおき、第１無線タグ（本体タグ）から読み出した情報と第２無線タグ（付属タグ）から読み出した情報とを照合して照合結果を報知することにより、第２無線タグ（付属タグ）に記憶された情報により本体の欠品を容易に判別できるとともに、第１無線タグ（本体タグ）に記憶された情報により本体以外の付属品の欠品を容易に判別できるようにした物品管理技術に関するものである。
【０００５】
一組として取り扱われる互いに関連した複数の物品のうちの一つを第１物品（上記本体に相当）とし、前記複数の物品のうちの上記第１物品以外の物品を第２物品（上記付属品に相当）とし、これらの物品群に対して上記判別技術を適用することにより、一組として取り扱われる互いに関連した複数の物品を簡単に管理することが可能となる。
【０００６】
（ｂ）また、特開２００５−５６０６６号公報（特許文献２）に開示されたものは、物品の情報を蓄積する物品データベースと、作業上、組み合わせて取り扱われる複数の物品の組合せを登録する組合せ管理データベースを備え、物品取扱主体によって物品が取り扱われているときには、該組合せ管理データベースを参照して取扱物品が含まれる組合せを抽出するとともに、前記物品データベースを参照することによって、抽出した組合せに含まれる組合せ物品の情報を取得し、かつその組合せ物品の情報を出力するようにした物品管理技術に関するものである。
【０００７】
（ｃ）また、特開２００４−２５８９０８号公報（特許文献３）に開示されたものは、複数の物品を関連付けて管理する際のグルーピング作業を効率的に行う技術に関するものであり、関連する複数の物品を１枚の画像として撮影するとともに、該撮影画像に含まれる複数の物品に付せられた複数の無線タグを読み込み、複数の無線タグＩＤを同一のグループに属することを表す属性情報であるグループＩＤを付与することにより、複数の物品を簡便にグルーピングするようにした物品管理技術が開示されている。
【０００８】
【特許文献１】特開２００５−２１５９５９号公報
【特許文献２】特開２００５−５６０６６号公報
【特許文献３】特開２００４−２５８９０８号公報
【発明の開示】
【発明が解決しようとする課題】
【０００９】
上述したように、特開２００５−２１５９５９号公報（特許文献１）に開示されたものは、本体と付属品の各々にタグを貼付するとともに、関連情報をタグに記憶させることで本体と付属品を管理するようにしたものであるため、本体以外に付属品の数だけタグを用意して貼付する必要があり、タグのコストや付属品へタグを貼付する手間がかかるという問題を有している。
【００１０】
また、特開２００５−５６０６６号公報（特許文献２）に開示されたものは、物品取り扱い主体によって物品が取り扱われているときに取り扱い物品と組み合わせて取り扱われる組合せ物品の情報を得るようにしたものであるため、特許文献１と同様に、管理対象となる物品１つ１つにタグを貼付する必要があり、タグのコストや物品へタグを貼付する手間が掛かるという問題を有している。
【００１１】
また、特開２００４−２５８９０８号公報（特許文献３）に開示されたものは、本体と付属品のような親子関係を持つ管理対象る物品の管理においてグループ化を簡便に行うものであり、やはり物品１つ１つにタグを貼付する必要があるため、特許文献１，２と同様、タグのコストや付属品へタグを貼付する手間がかかるという問題を有している。
【００１２】
そこで本発明は、上記問題を解消し、本体と付属品のように複数の関連しあう物品を、機器の構成情報や画像などを用いることにより、物品の数よりも少ないＲＦＩＤタグを用いて管理することが可能な物品管理システムおよび物品管理方法ならびに物品管理用プログラムを提供することを目的としている。
【課題を解決するための手段】
【００１３】
本発明の物品管理システムは、本体と付属品のように複数の関連しあう物品（本明細書および請求項では「物品」ともいう）を、機器の構成情報や画像などを用いることで物品の数よりも少ないタグを用いて管理することを特徴とするものである。以下、請求項毎の構成を記す。
【００１４】
ａ）請求項１記載の発明は、ＲＦＩＤタグ（Radio Frequency Identification TAG）を物品に貼付し、該ＲＦＩＤタグに書き込まれた情報（ＲＦＩＤタグ情報）を読み出して当該物品を含む一組として取り扱われる複数の物品を管理する物品管理システムであって、物品の発注情報および納品物品に係る情報と、納品物品から収集される接続情報と、納品物品を撮影して得られる画像情報と、前記物品に貼付されたＲＦＩＤタグから得られるＲＦＩＤタグ情報とを関連付け前記物品に関するＤＢを生成するとともに、該ＤＢを用いて物品を管理するための画面を生成する情報処理手段とを有することを特徴としている。
【００１５】
ｂ）請求項２記載の発明は、請求項１記載の物品管理システムにおいて、前記ＤＢは、物品の発注情報および納品物品の情報を含む購買情報を記憶する購買情報ＤＢと、納品物品をＬＡＮに接続した際に該ＬＡＮを介して収集されるソフトウェアを含む接続情報を記憶する接続情報ＤＢと、管理対象となる物品についての情報を記憶する機器ＤＢと、管理対象となる物品とともに利用される物品についての情報および管理対象となる物品に貼付された前記ＲＦＩＤタグから読み込まれるＲＦＩＤタグ情報を保持する細分ＤＢと、管理対象となる機器に導入されているソフトウェアについての情報を保持するソフトＤＢと、管理対象となる物品またはＲＦＩＤタグにより管理される物品を撮影して得られた画像情報を記憶する画像ＤＢと、管理対象となる物品またはＲＦＩＤにより管理される物品の画像のどの部分が該当するかを示す画像枠の情報を記憶する画像枠ＤＢとからなることを特徴としている。
【００１６】
ｃ）請求項３記載の発明は、請求項１または２記載の物品管理システムにおいて、前記情報処理手段は、前記購買情報ＤＢから購買情報を読み込み、前記機器ＤＢおよび細分ＤＢへ購買情報を書き込む情報取込処理手段と、前記接続情報ＤＢから接続情報を受取り、機器ＤＢおよびソフトＤＢへ接続情報を提供する端末検出処理手段と、前記画像ＤＢから機器に関連付けた画像を取り込む画像取込処理と、画像から画像枠を判別し、前記画像枠ＤＢに情報を登録する画像枠判別処理を行う画像処理手段と、前記各ＤＢを必要な組合せで読み書きし情報一覧の表示を行う一覧表示処理および画像枠と細分の紐付けを行う画像枠登録処理およびＲＦＩＤと細分の紐付けを行う細分登録処理を行う資産管理処理手段からなることを特徴としている。
【００１７】
ｄ）請求項４記載の発明は、ＲＦＩＤタグ（Radio Frequency Identification TAG）を物品に貼付し、該ＲＦＩＤタグに書き込まれた情報（ＲＦＩＤタグ情報）を読み出して当該物品を含む一組として取り扱われる複数の物品を管理する物品管理用プログラムであって、コンピュータを請求項１から３のいずれかに記載の各手段として機能させるための物品管理用プログラムであり、
【００１８】
ｅ）請求項５記載の発明は、ＲＦＩＤタグ（Radio Frequency Identification TAG）を物品に貼付し、該ＲＦＩＤタグに書き込まれた情報（ＲＦＩＤタグ情報）を読み出して当該物品を含む一組として取り扱われる複数の物品を管理する物品管理方法であって、物品の発注情報および納品物品に係る情報と、納品物品から収集される接続情報と、納品物品を撮影して得られる画像情報と、前記物品に貼付されたＲＦＩＤタグから得られるＲＦＩＤタグ情報とを関連付け前記物品に関するＤＢを生成するＤＢ生成ステップと、該ＤＢを用いて物品を管理するための画面を生成して表示装置に表示する画面生成表示ステップとを有することを特徴としている。
【００１９】
ｆ）請求項６記載の発明は、請求項５記載の物品管理方法において、前記ＤＢは、物品の発注情報および納品物品の情報を含む購買情報を記憶する購買情報ＤＢと、納品物品をＬＡＮに接続した際に該ＬＡＮを介して収集されるソフトウェアを含む接続情報を記憶する接続情報ＤＢと、管理対象となる物品についての情報を記憶する機器ＤＢと、管理対象となる物品とともに利用される物品についての情報および管理対象となる物品に貼付された前記ＲＦＩＤタグから読み込まれるＲＦＩＤタグ情報を保持する細分ＤＢと、管理対象となる機器に導入されているソフトウェアについての情報を保持するソフトＤＢと、管理対象となる物品またはＲＦＩＤタグにより管理される物品を撮影して得られた画像情報を記憶する画像ＤＢと、管理対象となる物品またはＲＦＩＤにより管理される物品の画像のどの部分が該当するかを示す画像枠の情報を記憶する画像枠ＤＢとからなることを特徴とするものである。
【００２０】
ｇ）請求項７記載の発明は、請求項５または６記載の物品管理方法において、前記ＤＢ生成ステップは、前記購買情報ＤＢから購買情報を読み込み、前記機器ＤＢおよび細分ＤＢへ購買情報を書き込む情報取込処理ステップと、前記接続情報ＤＢから接続情報を受取り、機器ＤＢおよびソフトＤＢへ接続情報を提供する端末検出処理ステップと、前記画像ＤＢから機器に関連付けた画像を取り込む画像取込処理と、画像から画像枠を判別し、前記画像枠ＤＢに情報を登録する画像枠判別処理を行う画像処理ステップと、前記各ＤＢを必要な組合せで読み書きし情報一覧の表示を行う一覧表示処理および画像枠と細分の紐付けを行う画像枠登録処理およびＲＦＩＤと細分の紐付けを行う細分登録処理を行う資産管理処理ステップとを有することを特徴としている。
【発明の効果】
【００２１】
本発明によれば、本体と付属品のように複数の関連しあう管理対象物品を管理対象物品の数よりも少ないタグで容易に管理することが可能な物品管理システムおよび物品管理方法ならびに物品管理用プログラムを実現することが可能になる。
【発明を実施するための最良の形態】
【００２２】
以下、本発明に係る物品管理システムの一実施例を、図面を用いて詳細に説明する。
図１は、本実施例に係る物品管理システムの全体構成図であり、備品管理システム１０７とそれに関連する要素の全体構成を示している。
【００２３】
同図において、点線で囲まれた管理対象１０１は、備品管理システム１０７の管理対象となる機器を示しており、本実施例ではＰＣ（Personal Computer）本体１０１Ｂおよびそれに関連する機器（ディスプレイ装置１０１Ａ、マウス１０１Ｃ、キーボード１０１Ｄ、外付けＨＤ（Hard Disk）装置１０１Ｅ、予備用ＨＤ（Hard Disk）装置１０１Ｆなど）で構成されている。
【００２４】
ＲＦＩＤタグ１０２は、管理対象の機器に貼付して物品管理を行うための無線タグであり、書き換え不能な番号情報を持つ。ＲＦＩＤタグは、一組として取り扱われる複数の物品（機器）に対してその中の１つの物品（図１ではＰＣ本体１０１Ｂ）に貼付される。なお、管理対象の機器が、それぞれが一組として扱われる複数の物品からなる複数の組から構成される場合、ＲＦＩＤタグは、一組として取り扱われる複数の物品の組のぞれぞれの組に対して１つずつ貼付されるものとする。
【００２５】
また、同図において、購買情報ＤＢ １０３は機器の購入時点の構成や製造番号などについての情報を記憶するデータベースであり、接続情報ＤＢ １０４はＬＡＮ（Local Area Network）に接続されている機器のマシン名（コンピュータ名）やソフトウェアのインストール状況についての情報（これらの情報はＬＡＮに接続した際に収集される）を記憶するデータベースであり、これらのデータベースは公知の管理情報のデータベースである。本明細書ではデータベースをＤＢと略記するものとする。
【００２６】
後述するように、購買情報ＤＢ １０３のフォーマット（各項目の意味および具体例）については図１１−Ａおよび図１１−Ｂに、接続情報ＤＢ １０４のフォーマット（各項目の意味および具体例）については図１２−Ａおよび図１２−Ｂに、それぞれ示してある。
【００２７】
ＰＤＡ（Personal Digital assistants）１０６は、ＲＦＩＤタグリーダー機能１０５により管理対象に貼付されたＲＦＩＤタグ １０２の情報（ＲＦＩＤタグ情報）を読み取るとともに、管理対象を静止画または動画で撮影するための機材であり、ＰＤＡによって読み取られたＲＦＩＤタグ情報と撮影された画像（静止画または動画）の関連付けは備品管理システム１０７によって行なわれる。
【００２８】
備品管理システム１０７は、本発明が対象とする物品管理システムの主要部であり、備品管理システム１０７の管理対象となる機器についての情報を記憶する機器ＤＢ １１２と、備品管理システム１０７の管理対象となる機器とともに利用される機器（例えば、関連する周辺機器）についての情報および管理対象となる機器に貼付されているＲＦＩＤタグから読み込まれるＲＦＩＤタグ情報（ＲＦＩＤ ＮＯ）を保持する細分ＤＢ １１３と、備品管理システム１０７の管理対象となる機器に導入されているソフトウェアについての情報を保持するソフトＤＢ １１４と、備品管理システム１０７の管理対象となる機器またはＲＦＩＤタグにより管理される機器の画像情報を記憶する画像ＤＢ １１５と、備品管理システム１０７の管理対象となる機器またはＲＦＩＤにより管理される機器の画像のどの部分が該当するかを示す画像枠の情報を記憶する画像枠ＤＢ １１６とを有している。
【００２９】
機器ＤＢ １１２のフォーマット（各項目の意味および具体例）については図１３−Ａおよび図１３−Ｂに、細分ＤＢ １１３のフォーマット（各項目の意味および具体例）については図１４−Ａおよび図１４−Ｂに、ソフトＤＢ １１４のフォーマット（各項目の意味および具体例）については図１５−Ａおよび図１５−Ｂに、画像ＤＢ １１５のフォーマット（各項目の意味および具体例）については図１６−Ａおよび図１６−Ｂに、画像枠ＤＢ １１６のフォーマット（各項目の意味および具体例）については図１７−Ａおよび図１７−Ｂに示してある。各ＤＢについての詳細は、それぞれ図面を用いて後述する。
【００３０】
備品管理システム１０７は、上記各ＤＢに加えて、さらに、前記購買情報ＤＢ １０３から購買情報を読み込み（情報取込処理）、機器ＤＢ １１２や細分ＤＢ １１３へ購買情報を書き込む情報取込処理部１０８と、前記接続情報ＤＢ １０４から接続情報を受取り（端末検出処理）、機器ＤＢ １１２やソフトＤＢ １１４へ接続情報を提供する端末検出処理部１０９と、前記画像ＤＢ １１５から機器に関連付けた画像取込処理や、画像から公知特許技術を用いて自動認識により画像枠を判別し、画像枠ＤＢ １１６に情報を登録する画像枠判別処理を行う画像処理部１１０と、前記各ＤＢを必要な組合せで読み書きし、情報一覧の表示を行う一覧表示処理や、画像枠と細分の紐付けを行う画像枠登録処理や、ＲＦＩＤと細分の紐付けを行う細分登録処理を行う資産管理処理部１１１を含む情報処理部とを有している。
【００３１】
この情報処理部は、各種制御や演算を行なうＣＰＵや各種データを記憶するメモリや各種機能を実現するためのプログラムを記憶するＲＯＭや表示装置や入出力装置などのハードウェアを含む通常のコンピュータで構成されており、情報取込処理部１０８、端末検出処理部１０９、画像処理部１１０、資産管理処理部１１１における各処理は、これらのコンピュータのハードウェアおよびプログラムを用いて実現される。なお、請求項では、これらの情報取込処理部、端末検出処理部、画像処理部、資産管理処理部を、それぞれ情報取込処理手段、端末検出処理手段、画像処理手段、資産管理処理手段と記す。
【００３２】
まず、本発明に係る備品管理システム１０７の詳細な構成を説明する前に、ＰＣ購入時を事例として備品管理システムとそれに関連する部分におけるデータの流れを説明する。この場合、備品管理システムの管理対象はＰＣである。
【００３３】
図２は、ＰＣ購入時におけるデータの流れを示す図である。
＜第１手順＞
ＰＣを購入するために、ユーザーは注文データ（製品型名，製品名など）を購買情報管理システムの購買情報ＤＢ １０３に登録する（ａ）。購買情報管理システム １０７の購買情報ＤＢ １０３に登録されたデータはユーザーから販売会社のＰＣに送られ、注文が依頼される（ｃ）。
【００３４】
購買情報ＤＢ １０３に登録されたデータ（後述する手順２における（ｅ’）の処理により登録された製造番号、設置場所、導入年月日、利用部署などの付加データも含む）は、備品管理システム１０７の情報取込処理部１０８に取り込まれ（ｂ）、データ処理後に機器ＤＢ １１２および細分ＤＢ １１３に登録される。
【００３５】
＜第２手順＞
注文依頼したＰＣが販売会社よりユーザーに納品される（ｄ）。納品されたＰＣに関する情報（例えば、コンピュータ名、導入年月日など）や、該ＰＣにインストールされているソフトウェア情報（例えば、ソフト区分、ソフト名称、インストール日など）が収集され、接続情報管理システムの接続情報ＤＢ １０４へ登録される（ｅ）。またこのとき、納品されたＰＣの製造番号や設置場所，導入年月日，利用部署などの付加データが購買情報ＤＢ １０３に追加登録される（ｅ’）。
【００３６】
接続情報管理システムの接続情報ＤＢ １０４に登録されたデータは、備品管理システム１０７の端末検出処理部１０９に取り込まれ（ｆ）、データ処理後に機器ＤＢ １１２とソフトＤＢ １１４に登録される。
【００３７】
＜第３手順＞
納品されたＰＣの１つの対象機器（通常は主となる対象機器、本例ではＰＣ本体）にＲＦＩＤタグを貼り（ｇ）、ＰＤＡによってＲＦＩＤタグ情報を読み込み（ｈ）、同時に電子的にＰＤＡのデジタルカメラでＰＣ撮影し（ｉ）、該撮影した画像を画像データとしてＰＤＡに登録する（ｊ）。
【００３８】
ＰＤＡに取り込んだ画像データおよびＲＦＩＤタグ情報を併せて備品管理システム１０７の画像処理部１１０に転送する（ｋ）。備品管理システム１０７の画像処理部１１０は、転送されてきた画像データを画像ＤＢ １１５に登録し、画像ＤＢ １１５に登録された画像データは、画像枠判定後に画像枠ＤＢ １１６に登録される。
【００３９】
また、転送されたＲＦＩＤタグ情報は備品管理システム１０７の画像処理部１１０にてデータ処理後に前記画像データと関連付けて画像ＤＢ １１５に登録される。
【００４０】
＜第４手順＞
備品管理システム１０７の各ＤＢ（機器ＤＢ １１２，細分ＤＢ １１３，ソフトＤＢ １１４，画像ＤＢ １１５，画像枠ＤＢ １１６）のデータを表示するため、ユーザーは表示条件を入力、もしくは、管理対象である備品に貼付されたＲＦＩＤタグ情報をＰＤＡで読み取る（ｌ）。
【００４１】
入力された情報（表示条件もしくはＲＦＩＤタグ情報）により、備品管理システム１０７の資産管理処理部１１１が機器ＤＢ １１２，細分ＤＢ １１３，ソフトＤＢ １１４，画像ＤＢ １１５，画像枠ＤＢ １１６内のデータを抽出・加工し、表示条件に応じた処理結果画面をユーザー側システム機器に表示する（ｍ）。
【００４２】
ユーザーは、ユーザー側システム機器に表示された情報をもとに、機器情報割当画面から、ＲＦＩＤタグ情報と細分ＤＢのデータの紐付けや、画像枠ＤＢのデータと細分ＤＢのデータの紐付けを管理し、これにより購入した物品の備品管理を行う。
【００４３】
次に、前記各ＤＢに格納されるデータの説明および各ＤＢ間の関連について説明する。
図３は、備品管理システム１０７で読み書きする各データベース（購買情報ＤＢ、接続情報ＤＢ、機器ＤＢ、細分ＤＢ、ソフトＤＢ、画像ＤＢ、画像枠ＤＢ）間の関連を示す図である。
【００４４】
図３における購買情報ＤＢ ３０１、接続情報ＤＢ ３０２、機器ＤＢ ３０３、細分ＤＢ ３０４、ソフトＤＢ ３０５、画像ＤＢ ３０６、画像枠ＤＢ ３０７は、それぞれ、図1および図２における購買情報ＤＢ １０３、接続情報ＤＢ １０４、機器ＤＢ １１２、細分ＤＢ １１３、ソフトＤＢ １１４、画像ＤＢ １１５、画像枠ＤＢ １１６に対応している。図３において、各ＤＢ間の線はそれぞれの項目で同じ値の組合せが関連を持っていることを示している。
【００４５】
（イ）購買情報ＤＢ ３０１は、ユーザーによって入力されたデータ（製品名など）と販売会社からの納品データによって追加されたデータ（製造番号など）からなる購買情報を保持し、機器ＤＢ ３０３、細分ＤＢ ３０４へ購買情報を提供するためのＤＢである。本例における購買情報は、製品型名、製造番号、機器アドレス、構成番号、機器区分、製品名、設置場所、導入年月日、滅却・終了年月、利用部署、備考などからなり、製品型名、製造番号が主キーとなっている場合を示している（詳細は図１１−Ａ，図１１−Ｂ参照）。機器ＤＢ ３０３で「製品型名」と「製造番号」の組合せが一致するものは、購買情報ＤＢ ３０１から提供された本体の情報である。
【００４６】
（ロ）接続情報ＤＢ ３０２は、販売会社から納品された機器に導入されているソフトウェアに関する情報（接続情報）を保持しており、機器ＤＢ、ソフトＤＢへ接続情報を提供するためのＤＢである。本例における接続情報は、コンピュータ名、ライセンス名、ライセンスＮｏ、機器アドレス、機器利用者ＩＤ、導入年月日、稼動状況、ソフト区分、ソフト名称、インストール日などからなり、コンピュータ名、ライセンス名、ライセンスＮｏが主キーとなっている場合を示している（詳細は図１２−Ａ，図１２−Ｂ参照）。機器ＤＢ ３０３で「コンピュータ名」が一致するものは、接続情報ＤＢ ３０２から提供された情報である。
【００４７】
（ハ）機器ＤＢ ３０３は、備品管理システム１０７の管理対象となる機器についての情報を保持するためのＤＢである。本例における機器の情報は、コンピュータ名、機器利用者ＩＤ、製品名、製品型名、製造番号、構成番号、機器区分、設置場所、導入年月日、滅却・終了年月、利用部署、機器アドレス、稼動状況、備考などからなり、コンピュータ名が主キーとなっている場合を示している（詳細は図１３−Ａ，図１３−Ｂ参照）。細分ＤＢ ３０４で「コンピュータ名」が一致するものは、購買情報ＤＢ ３０１から提供された本体以外を含む情報である。また、ソフトＤＢ ３０５で「コンピュータ名」が一致するものは、接続情報ＤＢ ３０２から提供された本体にインストールされたソフトの情報である。
【００４８】
（ニ）細分ＤＢ ３０４は、備品管理システム１０７の管理対象となる機器とともに利用される機器についての情報を保持するとともに、管理対象となる機器に貼付されているＲＦＩＤタグから読み込まれるＲＦＩＤタグ情報（ＲＦＩＤ ＮＯ）を保持するＤＢである。本例における細分ＤＢ ３０４に保持される情報は、コンピュータ名、ＲＦＩＤ ＮＯ、細分項目ＮＯ、製品名、製品型名、製造番号、構成番号、機器区分、導入年月日、滅却・終了年月、利用部署、稼動状況、備考などからなり、コンピュータ名、ＲＦＩＤ ＮＯ、細分項目ＮＯが主キーとなっている場合を示している（詳細は図１４−Ａ，図１４−Ｂ参照）。画像ＤＢ ３０６で「ＲＦＩＤ ＮＯ」が一致するものは、ＰＤＡで撮影した画像である。また、機器ＤＢ ３０３で「コンピュータ名」が一致するものは、本体の情報である。
【００４９】
（ホ）ソフトＤＢ ３０５は、備品管理システム１０７の管理対象となる機器に導入されているソフトウェアについての情報を保持するためのＤＢである。本例におけるソフトＤＢ ３０５に保持される情報は、コンピュータ名、ライセンス名、ライセンスＮＯ、ソフト区分、ソフト名称、インストール日などからなり、コンピュータ名、ライセンス名、ライセンスＮＯが主キーとなっている場合を示している（詳細は図１５−Ａ，図１５−Ｂ参照）。機器ＤＢ ３０３で「コンピュータ名」が一致するものは、当該ソフトをインストールしている機器本体の情報である。
【００５０】
（ヘ）画像ＤＢ ３０６は、備品管理システム１０７の管理対象となる機器またはＲＦＩＤにより管理される機器のＰＤＡによる撮影画像の情報を保持するためのＤＢである。本例における画像ＤＢ ３０６に保持される情報は、ＲＦＩＤ ＮＯ、画像ＮＯ、画像、撮影年月日時などからなり、ＲＦＩＤ ＮＯ、画像ＮＯが主キーとなっている場合を示している（詳細は図１６−Ａ，図１６−Ｂ参照）。画像枠ＤＢ ３０７で「ＲＦＩＤ ＮＯ」と「画像ＮＯ」の組合せが一致するものは、画像ＤＢ ３０６の画像から判別した画像枠である。また、細分ＤＢ ３０４で「ＲＦＩＤ ＮＯ」が一致するものは、ＰＤＡで当該画像を撮影した際に読み込んだ「ＲＦＩＤ ＮＯ」の情報である。
【００５１】
（ト）画像枠ＤＢ ３０７は、備品管理システム１０７の管理対象となる機器またはＲＦＩＤにより管理される機器の画像において、その画像のどの部分が該当するかを判別するための画像枠の情報を保持するためのＤＢである。本例における画像枠の情報は、ＲＦＩＤ ＮＯ、画像ＮＯ、枠ＮＯ、細分項目ＮＯ、分割画像などからなり、ＲＦＩＤ ＮＯ、画像ＮＯ、枠ＮＯが主キーとなっている場合を示している（詳細は図１７−Ａ，図１７−Ｂ参照）。画像ＤＢ ３０６で「ＲＦＩＤ ＮＯ」と「画像ＮＯ」の組合せが一致するものは、画像枠ＤＢ ３０７の画像枠の元となった画像である。
【００５２】
次に、情報取込処理部１０８における情報取込処理について説明する。
図４は、購買情報ＤＢのデータのうち、本体に係るデータを機器ＤＢに、本体と付属品（周辺機器）に係るデータを細分ＤＢに展開する処理であり、追加または上書き更新を行う。
【００５３】
図４における購買情報ＤＢ ４０１は、図１，２における購買情報ＤＢ １０３あるいは図３における購買情報ＤＢ ３０１に対応し、図４における機器ＤＢ ４０５および４１０は、図１，２における機器ＤＢ １１２あるいは図３における機器ＤＢ ３０３に対応し、図４における細分ＤＢ ４１２，４１７は、図１，２における細分ＤＢ １１３あるいは図３における細分ＤＢ ３０４に対応している。
【００５４】
図４に示すように、処理を開始すると、まず購買情報ＤＢからデータを１レコード読み込む（ステップＳ４０２）。次に、購買情報ＤＢに未処理のデータがあるか否かを判定し（ステップＳ４０３）、未処理データがあれば（ステップＳ４０３：Ｙ）、処理を継続し、未処理データがなければ（ステップＳ４０３：Ｎ）、処理を終了する。
【００５５】
未処理データがある場合（ステップＳ４０３：Ｙ）、機器ＤＢから全レコードの「製品型名」、「製造番号」を読み込む（ステップＳ４０４）。
【００５６】
購買情報ＤＢから読み込んだデータの「機器区分」が「本体」か否かを判定し（ステップＳ４０６）、「本体」以外ならば（ステップＳ４０６：Ｎ）、後述するステップＳ４０７からステップＳ４０９の処理は行わず、細分ＤＢへの追加処理（ステップＳ４１１〜Ｓ４１６）のみを行う。
【００５７】
購買情報ＤＢから読み込んだデータの「機器区分」が「本体」であれば（ステップＳ４０６：Ｙ）、本体のものとして機器ＤＢへの追加処理（ステップＳ４０８またはステップＳ４０９）を行なう。ステップＳ４０７からステップＳ４０９の処理を行なった後、後述する細分ＤＢへの追加処理（ステップＳ４１１〜Ｓ４１６）を行う。
【００５８】
さらに詳しく述べると、購買情報ＤＢから読み込んだデータの「機器区分」が「本体」の場合（ステップＳ４０６：Ｙ）、読み込んだデータの「製品型名」、「製造番号」が機器ＤＢから読み込んだ情報にあるか否かを判定し（ステップＳ４０７）、なければ（ステップＳ４０７：Ｎ）、機器ＤＢに新規レコードとして追加し（ステップＳ４０８）、あれば（ステップＳ４０７：Ｙ）、該レコードを機器ＤＢに上書きする（ステップＳ４０９）。その後、ステップＳ４１１〜Ｓ４１６に進む。
【００５９】
購買情報ＤＢから読み込んだデータの「機器区分」が「本体」以外の場合は（ステップＳ４０６：Ｎ）、細分ＤＢから全レコードの「構成番号」、「製品型名」、「製造番号」を読み込む（ステップＳ４１１）。
【００６０】
購買情報ＤＢから読み込んだ「製品型名」、「製造番号」で機器ＤＢから読み込んだ情報の「構成番号」を選び、「構成番号」、「製品型名」、「製造番号」が細分ＤＢから読み込んだ情報にあるか否かを判定し（ステップＳ４１３）、なければ（ステップＳ４１３：Ｎ）、「構成番号」で一番大きな「細分項目ＮＯ」に１を足して「細分項目ＮＯ」を採番し（ステップＳ４１４）、採番した「細分項目ＮＯ」で購買情報を細分ＤＢへ追加する（ステップＳ４１５）。
【００６１】
購買情報ＤＢから読み込んだ「構成番号」、「製品型名」、「製造番号」が細分ＤＢから読み込んだ情報にある場合は（ステップＳ４１３：Ｙ）、該購買情報のレコードを細分ＤＢに上書きする（ステップＳ４１６）。
【００６２】
ステップＳ４１５あるいはステップＳ４１６の処理によって細分ＤＢの更新が終わったら、購買情報ＤＢから読み込んだデータを処理済とし（ステップＳ４１８）、購買情報ＤＢからデータを１レコード読み込むステップＳ４０２の処理に戻る。
【００６３】
次に、端末検出処理部１０９における端末検出処理について説明する。
図５は、接続情報ＤＢのデータを、機器ＤＢと細分ＤＢとソフトＤＢとに展開する処理を説明するための図であり、ソフトＤＢへの追加、および、機器ＤＢと細分ＤＢへの上書き更新を行う。
【００６４】
図５における接続情報ＤＢ ５０１は、図１，２における接続情報ＤＢ １０４あるいは図３における接続情報ＤＢ ３０２に対応し、図５における機器ＤＢ ５０５，５０９は、図１，２における機器ＤＢ １１２あるいは図３の機器ＤＢ ３０３に対応し、図５における細分ＤＢ ５１１は、図１，２における細分ＤＢ １１３あるいは図３における細分ＤＢ ３０４に対応し、図５におけるソフトＤＢ ５１３，５１６は、図１，２におけるソフトＤＢ １１４あるいは図３におけるソフトＤＢ ３０５に対応している。
【００６５】
図５に示すように、処理を開始すると、まず接続情報ＤＢからデータを１レコード読み込む（ステップＳ５０２）。
【００６６】
次に、接続情報ＤＢに未処理データがあるか否かを判定し（ステップＳ５０３）、未処理データがあれば（ステップＳ５０３：Ｙ）、以下のステップＳ５０４〜Ｓ５１５の処理を継続し、なければ（ステップＳ５０３：Ｎ）、処理を終了する。
【００６７】
接続情報ＤＢに未処理データがある場合は（ステップＳ５０３：Ｙ）、機器ＤＢから全レコードの「機器アドレス」、「構成番号」を読み込む（ステップＳ５０４）。接続情報ＤＢから読み込んだ接続情報の「機器アドレス」が機器ＤＢから読み込んだ情報にあるか否かを判定し（ステップＳ５０６）、なければ（ステップＳ５０６：Ｎ）、購入情報が取得できていない接続情報のデータとして処理済とし（ステップＳ５０７）、次のデータを１レコード読み込むステップＳ５０２の処理に戻り、ある場合は（ステップＳ５０６：Ｙ）、接続情報のデータを機器ＤＢに上書きし（ステップＳ５０８）、さらに同じ「構成番号」をもつ細分ＤＢのコンピュータ名を全て上書きする（ステップＳ５１０）。
【００６８】
次に、ソフトＤＢから全レコードの「コンピュータ名」、「ライセンス名」、「ライセンスＮＯ」を読み込み（ステップＳ５１２）、読み込んだ接続情報の「コンピュータ名」、「ライセンス名」、「ライセンスＮＯ」が機器ＤＢとソフトＤＢから読み込んだ情報にあるか否かを判定し（ステップＳ５１４）、なければ（ステップＳ５１４：Ｎ）、新規レコードとしてソフトＤＢに追加した後（ステップＳ５１５）、接続情報のデータとして処理済とし（ステップＳ５０７）、次のデータを１レコード読み込むステップＳ５０２の処理に戻り、あれば（ステップＳ５１４：Ｙ）、接続情報のデータとして処理済とし（ステップＳ５０７）、次のデータを１レコード読み込むステップＳ５０２の処理に戻る。
【００６９】
次に、画像処理部 １１０における画像取込処理について説明する。
図６は、ＰＤＡより取得した機器の画像データを画像ＤＢに追加または上書きして取り込む処理を示すフローチャートである。
【００７０】
図６における画像ＤＢ ６０７，６１０は、図１，２における画像ＤＢ １１５あるいは図３における画像ＤＢ ３０６に対応している。
【００７１】
図６に示すように、処理を開始したら、まず、ＰＤＡより取得したＲＦＩＤタグ情報（ＲＦＩＤ ＮＯ）と機器の画像データ ６０１を１件読み込む（ステップＳ６０２）。そして、未読の画像データがあるか否かを判定し（ステップＳ６０３）、未読の画像データがあれば（ステップＳ６０３：Ｙ）、ステップＳ６０４以降の処理を継続し、未読の画像データがなければ（ステップＳ６０３：Ｎ）、処理を終了する。
【００７２】
未読の画像データがある場合（ステップＳ６０３：Ｙ）、ＰＤＡより取得した画像データとＰＤＡより取得したＲＦＩＤタグ情報 ６０５を紐付ける（ステップＳ６０４）。
【００７３】
次に、画像ＮＯを追加するため、画像ＤＢから、登録済みのＲＦＩＤ ＮＯと、“最新レコード”の画像ＮＯをワークエリアに読み込み（ステップＳ６０６）、次に、ワークエリアに読込んだ“最新の「画像ＮＯ」”に１を加えた値を新規レコードの画像ＮＯとして採番し（ステップＳ６０８）、画像データとＲＦＩＤ ＮＯ、画像ＮＯ、撮影年月日時を画像ＤＢに追加する（ステップＳ６０９）。
【００７４】
次に、ＰＤＡより取得した画像データを処理済として（ステップＳ６１１）、次の画像データを１件読み込むステップＳ６０２の処理に戻る。
【００７５】
次に、画像処理部 １１０における画像枠判別処理について説明する。
図７−Ａは、画像ＤＢから読み込んだ画像を分割し、分割した画像に関連付ける機器の個数分の画像枠を自動で判別し、画像枠ＤＢに登録する処理を説明するためのフローチャートであり、図７−Ｂは、該画像枠判別処理のイメージを示す図である。
【００７６】
図７における画像ＤＢ ７０２、画像枠ＤＢ ７０８は、図１，２における画像ＤＢ １１５あるいは図３における画像ＤＢ ３０６、図１，２における画像枠ＤＢ １１６あるいは図３における画像枠ＤＢ ３０７に対応している。
【００７７】
図７−Ａに示すように、処理を開始すると、まず、画像ＤＢからデータを１レコード読み込む（ステップＳ７０１）。次に、公知技術（例えば、特開平５−８１４２９号公報参照）を用いて画像を分割し（ステップＳ７０３：図７−Ｂのイメージ分割図参照）、枠ＮＯ採番用カウンタのゼロクリアを行い（ステップＳ７０４）、分割した画像を一つ取り出す（ステップＳ７０５）。
【００７８】
次に、枠ＮＯ採番用カウンタと画像ＮＯを元に画像枠を識別するキーを作成する（ステップＳ７０６）。例えば、画像ＮＯの後に“−”と枠ＮＯ採番用カウンタのカウンタ値を付与してキーを作成する。
【００７９】
次に、画像ＮＯと枠ＮＯと分割した画像を画像枠ＤＢに登録し（ステップＳ７０７）、枠ＮＯ採番用カウンタに１を加える（ステップＳ７０９）。
【００８０】
次に、分割した画像が未処理で残っているか否かを判定し（ステップＳ７１０）、分割した画像が未処理で残っていれば（ステップＳ７１０：Ｎ）、分割した画像を一つ取り出すステップＳ７０５の処理に戻る。
【００８１】
分割した画像が未処理で残っていなければ（ステップＳ７１０：Ｙ）、次に画像ＤＢに未処理の画像がないか否かを判定し（ステップＳ７１１）、全ての画像が処理済みならば（ステップＳ７１１：Ｙ）、処理を終了し、未処理の画像があれば（ステップＳ７１１：Ｎ）、画像ＤＢから画像データを１件読み込むステップＳ７０１の処理に戻る。
【００８２】
図７−Ｂのイメージ図に示すＰＣの例では、管理対象である一組として取り扱われるＰＣ全体（画像ＮＯ ００１）を、ディスプレイ装置（００１−０）とＰＣ本体（００１−１）とキーボード（００１−２）に分割した場合を示している。
【００８３】
次に、資産管理処理部 １１１における一覧表示処理について説明する。
図８は、ＲＦＩＤリーダから読み取ったＲＦＩＤ番号に関連付けられた機器−ＲＦＩＤ−細分項目情報の一覧や、機器−ソフト情報の一覧や、機器−ＲＦＩＤ−画像−画像枠情報の一覧を表示し資産管理を行う処理を説明するためのフローチャートである。
【００８４】
図８における機器ＤＢ ８０６、細分ＤＢ ８１０、８２４、画像ＤＢ ８１２８２６、画像枠ＤＢ ８１４、ソフトＤＢ ８１９は、図１，２における機器ＤＢ １１２あるいは図３における機器ＤＢ ３０３、図１，２における細分ＤＢ １１３あるいは図３における細分ＤＢ ３０４、図１，２における画像ＤＢ １１５あるいは図３における画像ＤＢ ３０６、図１，２における画像枠ＤＢ １１６あるいは図３における画像枠ＤＢ ３０７、図１，２におけるソフトＤＢ １１４あるいは図３におけるソフトＤＢ ３０５に、それぞれ対応している。
【００８５】
図８に示すように、処理を開始すると、まず、ＰＤＡからのＲＦＩＤタグ情報 ８０２を１件読み取る（ステップＳ８０１）。
【００８６】
次に、ＰＤＡの読み取り開始から設定時間以内か否かを判定し（ステップＳ８０３）、設定時間内ならば（ステップＳ８０３：Ｙ）、ステップＳ８０４以降の処理を継続し、ＰＤＡの読み取り開始から設定時間を超過した場合は（ステップＳ８０３：Ｎ）、処理を終了する。
【００８７】
設定時間内の場合（ステップＳ８０３：Ｙ）、次に、ＰＤＡによるＲＦＩＤタグ情報 ８０２の読み取りが成功したか否かを判定し（ステップＳ８０４）、ＰＤＡによるＲＦＩＤタグ情報 ８０２の読み取りが成功した場合は（ステップＳ８０４：Ｙ）、ステップＳ８０５以降の処理を継続し、まだ読み取りが成功していない場合は（ステップＳ８０４：Ｎ）、ＰＤＡからＲＦＩＤタグ情報 ８０２を１件読み取るステップＳ８０１の処理に戻る。
【００８８】
ＰＤＡによるＲＦＩＤタグ情報の読み取りが成功した場合は（ステップＳ８０４：Ｙ）、機器ＤＢからデータを全レコード読み込む（ステップＳ８０５）。
【００８９】
次に、表示する画面が機器情報割当画面か否かを判定し（ステップＳ８０７）、表示する画面が機器情報割当画面の場合は（ステップＳ８０７：Ｙ）、ステップＳ８０９からステップＳ８１６の処理を継続し、表示する画面が機器情報割当画面でない場合は（ステップＳ８０７：Ｎ）、ステップＳ８０９からステップＳ８１６の処理は行わず、ステップＳ８０８に進む。
【００９０】
表示する画面が機器情報割当画面の場合には（ステップＳ８０７：Ｙ）、ステップＳ８０９において、細分ＤＢからデータを全レコード読み込み、ステップＳ８１１において、画像ＤＢからデータを全レコード読み込み、ステップＳ８１３において、画像枠ＤＢからデータを全レコード読み込む。
【００９１】
次に、ステップＳ８１５において、「コンピュータ名」によって機器ＤＢ、細分ＤＢ、ソフトＤＢのデータを関連付け、「画像ＮＯ」によって画像ＤＢと画像枠ＤＢのデータを関連付けて「ＲＦＩＤ ＮＯ」が同じ情報を組み合わせる。
【００９２】
表示対象として「コンピュータ名」か「ＲＦＩＤ ＮＯ」を１つ選ぶ。
【００９３】
「コンピュータ名」を表示対象として選んだ場合は、表示対象として選んだ「コンピュータ名」と一致する「コンピュータ名」の機器ＤＢのデータと、表示対象として選んだ「コンピュータ名」と一致する「コンピュータ名」で「ＲＦＩＤ ＮＯ」と「細分項目ＮＯ」が空白の細分ＤＢのデータとを並べて、機器の『本体情報』とし、表示対象として選んだ「コンピュータ名」と一致する「コンピュータ名」で「ＲＦＩＤ ＮＯ」が空白でなく「細分項目ＮＯ」が空白の細分ＤＢのデータと、表示対象として選んだ「コンピュータ名」と一致する「コンピュータ名」で「ＲＦＩＤ ＮＯ」も「細分項目ＮＯ」も空白でない細分ＤＢのデータとを並べて、機器の『ＲＦＩＤ情報』とし、表示対象として選んだ「コンピュータ名」と一致する「コンピュータ名」で細分ＤＢから選択した「ＲＦＩＤ ＮＯ」と一致する「ＲＦＩＤ ＮＯ」の画像枠ＤＢのデータと、表示対象として選んだ「コンピュータ名」と一致する「コンピュータ名」で細分ＤＢから選択した「ＲＦＩＤ ＮＯ」と一致する「ＲＦＩＤ ＮＯ」の画像枠ＤＢのデータの「画像ＮＯ」と一致する「画像ＮＯ」の画像ＤＢのデータを、機器の『画像情報』とし、これらの情報によって機器情報割当画面を作成し（ステップＳ８１６）、機器情報割当表示画面 ８１７として表示し、処理を終了する。
【００９４】
一方、「ＲＦＩＤ ＮＯ」を表示対象として選んだ場合は、表示対象として選んだ「ＲＦＩＤ ＮＯ」と一致する「ＲＦＩＤ ＮＯ」で細分ＤＢから選択した「コンピュータ名」が「コンピュータ名」と一致する機器ＤＢのデータと、表示対象として選んだ「ＲＦＩＤ ＮＯ」と一致する「ＲＦＩＤ ＮＯ」で細分ＤＢから選択した「コンピュータ名」が「コンピュータ名」と一致し、「細分項目ＮＯ」が空白の細分ＤＢのデータとを機器の『本体情報』とし、表示対象として選んだ「ＲＦＩＤ ＮＯ」と一致する「ＲＦＩＤ ＮＯ」で「細分項目ＮＯ」が空白の細分ＤＢのデータと、表示対象として選んだ「ＲＦＩＤ ＮＯ」と一致する「ＲＦＩＤ ＮＯ」で「細分項目ＮＯ」も空白でない細分ＤＢのデータとを並べて、機器の『ＲＦＩＤ情報』とし、表示対象として選んだ「ＲＦＩＤ ＮＯ」と一致する「ＲＦＩＤ ＮＯ」の画像枠ＤＢのデータと、表示対象として選んだ「ＲＦＩＤ ＮＯ」と一致する「ＲＦＩＤ ＮＯ」の画像枠ＤＢのデータの「画像ＮＯ」と一致する「画像ＮＯ」の画像ＤＢのデータを機器の『画像情報』とし、これらの情報によって機器情報割当画面を作成し（ステップＳ８１６）、機器情報割当表示画面 ８１７として表示し、処理を終了する。
【００９５】
表示する画面が機器情報割当画面でなく（ステップＳ８０７：Ｎ）、ソフト一覧画面の場合は（ステップＳ８０８：Ｙ）、ステップＳ８１８〜ステップＳ８２１の処理を継続するが、ソフト一覧でもない場合は（ステップＳ８０８：Ｎ）、ステップＳ８１８〜ステップＳ８２１の処理はせずにステップＳ８２３〜ステップＳ８２６の処理を行なう。
【００９６】
表示する画面がソフト一覧画面の場合は（ステップＳ８０８：Ｙ）、ソフトＤＢからデータを全レコード読み込み（ステップＳ８１８）、「コンピュータ名」によって機器ＤＢとソフトＤＢのデータを関連付ける（ステップＳ８２０）。
【００９７】
表示対象として「コンピュータ名」を１つ選び、表示対象として選んだ「コンピュータ名」と一致する「コンピュータ名」の機器ＤＢのデータを機器の『本体情報』とし、表示対象として選んだ「コンピュータ名」と一致する「コンピュータ名」のソフトＤＢのデータを機器の『ソフト情報』とし、これらの情報によってソフト一覧画面を作成し（ステップＳ８２１）、ソフト一覧表示画面８２２として表示し（図１９参照）、処理を終了する。
【００９８】
表示対象が機器情報割当画面でなく（ステップＳ８０７：Ｎ）、ソフト一覧画面でもない場合は（ステップＳ８０８：Ｎ）、細部ＤＢからデータを全レコード読み込み（ステップＳ８２３）、画像ＤＢからデータを全レコード読み込み（ステップＳ８２５）、「コンピュータ名」によって機器ＤＢ、細分ＤＢのデータを関連付ける（ステップＳ８２７）。
【００９９】
表示対象として「コンピュータ名」か「ＲＦＩＤ ＮＯ」を１つ選ぶ。
【０１００】
「コンピュータ名」を表示対象として選んだ場合は、表示対象として選んだ「コンピュータ名」と一致する「コンピュータ名」の機器ＤＢのデータと、表示対象として選んだ「コンピュータ名」と一致する「コンピュータ名」で「ＲＦＩＤ ＮＯ」と「細分項目ＮＯ」が空白の細分ＤＢのデータとを、機器の『本体情報』とし、表示対象として選んだ「コンピュータ名」と一致する「コンピュータ名」で「ＲＦＩＤ ＮＯ」が空白で、「細分項目ＮＯ」が空白でない細分ＤＢのデータを、機器の『本体付属情報』とし、表示対象として選んだ「コンピュータ名」と一致する「コンピュータ名」で「ＲＦＩＤ ＮＯ」が空白でなく、「細分項目ＮＯ」が空白である細分ＤＢのデータと、表示対象として選んだ「コンピュータ名」と一致する「コンピュータ名」で「ＲＦＩＤ ＮＯ」も「細分項目ＮＯ」も空白でない細分ＤＢのデータを、機器の『ＲＦＩＤ情報』とし、表示対象として選んだ「コンピュータ名」と一致する「コンピュータ名」で細分ＤＢから選択した「ＲＦＩＤ ＮＯ」と一致する「ＲＦＩＤ ＮＯ」の画像ＤＢのデータを機器の『画像情報』とし、これらの情報によって機器情報一覧画面を作成し（ステップＳ８２８）、機器情報一覧表示画面８２７として表示し、処理を終了する。
【０１０１】
一方、「ＲＦＩＤ ＮＯ」を表示対象として選んだ場合は、表示対象として選んだ「ＲＦＩＤ ＮＯ」と一致する「ＲＦＩＤ ＮＯ」で細分ＤＢから選択した「コンピュータ名」が「コンピュータ名」と一致する機器ＤＢのデータと、表示対象として選んだ「ＲＦＩＤ ＮＯ」と一致する「ＲＦＩＤ ＮＯ」で「細分項目ＮＯ」が空白の細分ＤＢのデータとを、機器の『本体情報』とし、表示対象として選んだ「ＲＦＩＤ ＮＯ」と一致する「ＲＦＩＤ ＮＯ」で細分ＤＢから選択した「コンピュータ名」が「コンピュータ名」と一致し「ＲＦＩＤ ＮＯ」が空白で「細分項目ＮＯ」が空白でない細分ＤＢのデータを、機器の『本体付属情報』とし、表示対象として選んだ「ＲＦＩＤ ＮＯ」と一致する「ＲＦＩＤ ＮＯ」で「細分項目ＮＯ」が空白の細分ＤＢのデータと、表示対象として選んだ「ＲＦＩＤ ＮＯ」と一致する「ＲＦＩＤ ＮＯ」で「細分項目ＮＯ」も空白でない細分ＤＢのデータとを並べて、機器の『ＲＤＩＤ情報』とし、表示対象として選んだ「ＲＦＩＤ ＮＯ」と一致する「ＲＦＩＤ ＮＯ」の画像ＤＢのデータを機器の『画像情報』とし、これらの情報によって機器情報一覧画面を作成し（ステップＳ８２８）、機器情報一覧表示画面８２７として表示し、処理を終了する。
【０１０２】
次に、資産管理処理部１１１における画像枠登録処理について説明する。
図９は、画像処理部１１０における画像枠判別処理で判定した画像枠に対応する細分項目ＮＯを、上書き更新して登録する処理である。
【０１０３】
図９における機器ＤＢ ９０８、細分ＤＢ ９１０、画像ＤＢ ９１２、画像枠ＤＢ ９０４，９１６は、図１，２における機器ＤＢ １１２あるいは図３における機器ＤＢ ３０３、図１，２における細分ＤＢ １１３あるいは図３における細分ＤＢ ３０４、図１，２における画像ＤＢ １１５あるいは図３における画像ＤＢ ３０６、図１，２における画像枠ＤＢ １１６あるいは図３における画像枠ＤＢ ３０７に、それぞれ対応している。
【０１０４】
図９に示すように、処理を開始すると、まず、画像一覧表示画面９０３で指定した画像枠に「細分項目ＮＯ」を紐付ける紐付け情報９０２を読み込む（ステップＳ９０１）。
【０１０５】
次に、画像枠ＤＢからデータを１レコード読み込む（ステップＳ９０５）。そして、画像枠ＤＢのレコードを全て処理したか判別し（ステップＳ９０６）、処理済みならば（ステップＳ９０６：Ｎ）、処理を終了し、画像枠ＤＢに未処理のレコードがあれば（ステップＳ９０６：Ｙ）、ステップＳ９０７以降の処理を続ける。
【０１０６】
ステップＳ９０７では、機器ＤＢから全レコードの「コンピュータ名」を読み込む。次のステップＳ９０９では、細分ＤＢから全レコードの「コンピュータ名」と「ＲＦＩＤ ＮＯ」と「「細分項目ＮＯ」を読み込む。次のステップＳ９１１では、画像ＤＢから全レコードの「ＲＦＩＤ ＮＯ」と「画像ＮＯ」を読み込む。
【０１０７】
次のステップＳ９１３において、画像枠に関連付ける「コンピュータ名」を持つデータがステップＳ９０７で読み込んだデータにあるか否かを、また画像枠に関連付ける「コンピュータ名」と「ＲＦＩＤ ＮＯ」と「細分項目ＮＯ」を持つデータがステップＳ９０９で読み込んだデータにあるか否かを、また画像枠に関連付ける「ＲＦＩＤ ＮＯ」と「画像ＮＯ」を持つデータがステップＳ９１１で読み込んだデータにあるか否かを、それぞれ判定し、ある場合は（ステップＳ９１３：Ｙ）、ステップＳ９１５に進み、ない場合は（ステップＳ９１３：Ｎ）、このレコードを処理済みとして画像枠ＤＢから次のデータを１件読み込むステップＳ９０５に戻る（ステップＳ９１４）。
【０１０８】
ステップＳ９１５では、画像枠ＤＢに「ＲＦＩＤ ＮＯ」と「画像ＮＯ」が紐付け情報の「ＲＦＩＤ ＮＯ」と「画像ＮＯ」と一致し、「枠ＮＯ」がステップＳ９０５で画像枠ＤＢから読み込んだ１レコードの「枠ＮＯ」と一致するレコードの「細分項目ＮＯ」を紐付け情報の「細分項目ＮＯ」で上書きし、このレコードを処理済みとして画像枠ＤＢから次のデータを１件読み込むステップＳ９０５に戻る（ステップＳ９１４）。
【０１０９】
次に、資産管理処理部１１１おける細分登録処理について説明する。
図１０は、「ＲＦＩＤ ＮＯ」に対して付属する「細分項目ＮＯ」を登録する処理であり、細分ＤＢ上で「細分項目ＮＯ」の再採番を実施する。
【０１１０】
図１０における細分ＤＢ １００４，１００８，１０１４は、図１，２における細分ＤＢ １１３あるいは図３における細分ＤＢ ３０４に対応している。
【０１１１】
図１０に示すように、処理を開始すると、まず画像一覧表示画面１００３で指定した紐付け元「コンピュータ名」と「細分項目ＮＯ」と紐付け先「コンピュータ名」と「ＲＦＩＤ ＮＯ」とからなる紐付け情報１００２を読み込み、ＲＦＩＤに細分ＮＯを紐付ける（ステップＳ１００１）。
【０１１２】
次に、細分ＤＢから紐付け情報１００２の「コンピュータ名」と「ＲＦＩＤ ＮＯ」に一致する「コンピュータ名」と「ＲＦＩＤ ＮＯ」を持つレコードを１レコード読み込む（ステップＳ１００５）。
【０１１３】
次に、細分ＤＢのレコードを全て処理したか判別し（ステップＳ１００６）、全てのレコードが処理済みならば（ステップＳ１００６：Ｎ）、処理を終了し、細分ＤＢに未処理のレコードがあれば（ステップＳ１００６：Ｙ）、ステップＳ１００７以降の処理を続ける。
【０１１４】
細分ＤＢに未処理のレコードがあった場合（ステップＳ１００６：Ｙ）、ステップＳ１００７において、細分ＤＢの全てのレコードの「コンピュータ名」と「ＲＦＩＤ ＮＯ」と「細分項目ＮＯ」を読み込み、該読み込んだ「コンピュータ名」と「ＲＦＩＤ ＮＯ」と「細分項目ＮＯ」の組合せに紐付け情報１００２を適用した場合、「コンピュータ名」と「ＲＦＩＤ ＮＯ」と「細分項目ＮＯ」の組合せに重複ができるか否かを判定する（ステップＳ１０１０）。
【０１１５】
判定の結果、重複がある場合は（ステップＳ１０１０：Ｎ）、紐付け情報１００２と一致する「コンピュータ名」と「ＲＦＩＤ ＮＯ」のレコード全てで紐付け情報１００２によって変更されていないが「細分項目ＮＯ」が重複しているレコードを抜き出し（ステップＳ１０１１）、「細分項目ＮＯ」に１を足して重複を解消してから（ステップＳ１００９）、この重複によって新たな重複が発生していないか確認するために、細分ＤＢの全てのレコードの「コンピュータ名」と「ＲＦＩＤ ＮＯ」と「細分項目ＮＯ」を読み込むステップＳ１００７の処理に戻る。また、重複がない場合は（ステップＳ１０１０：Ｙ）、ステップＳ１０１２の処理に進む。
【０１１６】
ステップＳ１０１２では、細分ＤＢのＲＦＩＤ登録対象のレコードで「コンピュータ名」と「ＲＦＩＤ ＮＯ」と「細分項目ＮＯ」を上書きする。
【０１１７】
次に、細分ＤＢから紐付け情報１００２の「コンピュータ名」と「ＲＦＩＤ  ＮＯ」に一致する「コンピュータ名」と「ＲＦＩＤ ＮＯ」を持つレコードとしてステップＳ１００５で読み込んだレコードを処理済として（ステップＳ１０１５）、細分ＤＢからデータを１件読み込むステップＳ１００５の処理に戻る。
【０１１８】
次に、本発明の実施例に使用した上記各種ＤＢのデータフォーマットについて説明する。
（ａ）購買情報ＤＢのデータフォーマットについて
図１１−Ａは、本発明に使用する購買情報ＤＢのデータ項目の内容説明（意味）を示す図、図１１−Ｂは購買情報ＤＢの具体的な一例を示す図である。
【０１１９】
図１１−Ａに示すように、購買情報ＤＢは、管理対象機器の製品型名を保持する「製品型名」と、管理対象機器の製造番号を保持する「製造番号」と、機器に一意に与えられたアドレス番号を保持する「機器アドレス」と、機器一式を一意に判別する番号を保持する「構成番号」と、本体かディスプレイか周辺機器かを示す名称を保持する「機器区分」と、管理対象機器の製品名を保持する「製品名」と、機器の設置場所を保持する「設置場所」と、機器の導入日を保持する「導入年月日」と、機器の滅却日を保持する「滅却・終了年月」と、機器の購入を行った部署を保持する「利用部署」と、使途や予定を記入した「備考」とからなり、「製品型名」と「製造番号」を主キーとする。図１１−Ｂは購買情報ＤＢの各項目の具体的な一例を示している。
【０１２０】
（ｂ）接続情報ＤＢのデータフォーマットについて
図１２−Ａは、本発明に使用する接続情報ＤＢのデータ項目の内容説明（意味）を示す図、図１２−Ｂは接続情報ＤＢの具体的な一例を示す図である。
【０１２１】
図１２−Ａに示すように、接続情報ＤＢは、接続情報から得るＬＡＮ上の名称を保持する「コンピュータ名」と、接続情報から得られるソフトのライセンス名を保持する「ライセンス名」と、接続情報から得られるソフトのライセンスＮＯを保持する「ライセンスＮＯ」と、機器に一意に与えられたアドレス番号を保持する「機器アドレス」と、管理対象の機器を使用する利用者のＩＤを保持する「機器利用者ＩＤ」と、機器の導入日を保持する「導入年月日」と、稼動中，休止中，滅却準備を保持する「稼動状況」と、導入済みソフトの種類を示す名称を保持する「ソフト区分」と、導入済みソフトの名称を保持する「ソフト名称」と、ソフトの導入日を保持する「インストール日」とからなり、「コンピュータ名」と「ライセンス名」と「ライセンスＮＯ」を主キーとする。図１２−Ｂは接続情報ＤＢの各項目の具体的な一例を示している。
【０１２２】
（ｃ）機器ＤＢのデータフォーマットについて
図１３−Ａは、本発明に使用する機器ＤＢのデータ項目の内容説明（意味）を示す図、図１３−Ｂは機器ＤＢの具体的な一例を示す図である。
【０１２３】
図１３−Ａに示すように、機器ＤＢは、接続情報から得るＬＡＮ上の名称を保持する「コンピュータ名」と、管理対象の機器を使用する利用者のＩＤを保持する「機器利用者ＩＤ」と、管理対象機器の製品名（本体名称で代表）を保持する「製品名」と、管理対象機器の製品型名（本体型名で代表）を保持する「製品型名」と、管理対象機器の製造番号（本体製造番号で代表）を保持する「製造番号」と、機器一式を一意に判別する番号を保持する「構成番号」と、本体かディスプレイか周辺機器かを示す名称を保持する「機器区分」と、機器の設置場所を保持する「設置場所」と、機器の導入日を保持する「導入年月日」と、機器の滅却日を保持する「滅却・終了年月」と、機器の購入を行った部署を保持する「利用部署」と、機器に一意に与えられたアドレス番号を保持する「機器アドレス」と、稼動中、休止中、滅却準備を保持する「稼動状況」と、使途や予定を記入する「備考」とからなり、「コンピュータ名」を主キーとする。図１３−Ｂは機器ＤＢの各項目の具体的な一例を示している。
【０１２４】
（ｄ）細分ＤＢのデータフォーマットについて
図１４−Ａは、本発明に使用する細分ＤＢのデータ項目の内容説明（意味）を示す図、図１４−Ｂは細分ＤＢの具体的な一例を示す図である。
【０１２５】
図１４−Ａに示すように、細分ＤＢは、接続情報から得るＬＡＮ上の名称を保持する「コンピュータ名」と、機器につけられたＲＦＩＤ ＮＯを保持する「ＲＦＩＤ ＮＯ」と、細分項目単位で組合せキーを保持する「細分項目ＮＯ」と、管理対象機器の製品名を保持する「製品名」と、管理対象機器の製品型名を保持する「製品型名」と、管理対象機器の製造番号を保持する「製造番号」と、機器一式を一意に判別する番号を保持する「構成番号」と、本体かディスプレイか周辺機器かを示す名称を保持する「機器区分」と、機器の導入日を保持する「導入年月日」と、機器の滅却日を保持する「滅却・終了年月」と、機器の購入を行った部署を保持する「利用部署」と、稼動中、休止中、滅却準備を保持する「稼動状況」と、使途や予定を記入する「備考」とからなり、「コンピュータ名」と「ＲＦＩＤ ＮＯ」と「細分項目ＮＯ」を主キーとする。図１４−Ｂは細分ＤＢの各項目の具体的な一例を示している。
【０１２６】
（ｅ）ソフトＤＢのデータフォーマットについて
図１５−Ａは、本発明に使用するソフトＤＢのデータ項目の内容説明（意味）を示す図、図１５−ＢはソフトＤＢの具体的な一例を示す図である。
【０１２７】
図１５−Ａに示すように、ソフトＤＢは、接続情報から得るＬＡＮ上の名称を保持する「コンピュータ名」と、ソフトのライセンス名を保持する「ライセンス名」と、ソフトのライセンスＮＯを保持する「ライセンスＮＯ」と、導入済みソフトの種類を示す名称を保持する「ソフト区分」と、導入済みソフトの名称を保持する「ソフト名称」と、ソフトの導入日を保持する「インストール日」からなり、「コンピュータ名」と、「ライセンス名」と、「ライセンスＮＯ」を主キーとする。図１５−ＢはソフトＤＢの各項目の具体的な一例を示している。
【０１２８】
（ｆ）画像ＤＢのデータフォーマットについて
図１６−Ａは、本発明に使用する画像ＤＢのデータ項目の内容説明（意味）を示す図、図１６−Ｂは画像ＤＢの具体的な一例を示す図である。
【０１２９】
図１６−Ａに示すように、画像ＤＢは、画像につけられたＲＦＩＤ ＮＯを保持する「ＲＦＩＤ ＮＯ」と、画像ごとに一意の番号日時と通し番号の組合せを保持する「画像ＮＯ」と、画像自体を保持する「画像」と、撮影日時を保持する「撮影年月日時」とからなり、「ＲＦＩＤ ＮＯ」と「画像ＮＯ」を主キーとする。図１６−Ｂは画像ＤＢの各項目の具体的な一例を示している。
【０１３０】
（ｆ）画像枠ＤＢのデータフォーマットについて
図１７−Ａは、本発明に使用する画像枠ＤＢのデータ項目の内容説明（意味）を示す図、図１７−Ｂは画像枠ＤＢの具体的な一例を示す図である。
【０１３１】
図１７−Ａに示すように、画像枠ＤＢは、画像を持つ機器のＲＦＩＤ ＮＯを保持する「ＲＦＩＤ ＮＯ」と、対象資産を含む画像の画像ＮＯを保持する「画像ＮＯ」と、連番で付与する同一画像の枠番号を保持する「枠ＮＯ」と、細分項目単位で紐付け情報として使用する「細分項目ＮＯ」と、画像の中の分割された機器の部分画像自体を保持する「分割画像」からなり、「ＲＦＩＤ ＮＯ」と、「画像ＮＯ」と、「枠ＮＯ」を主キーとする。図１７−Ｂは画像枠ＤＢの各項目の具体的な一例を示している。
【０１３２】
ａ）図１８は、機器情報一覧画面の画面フォーマットの一例を示す図である。
同図において、表示対象はＲＦＩＤリーダから読み込んだＲＦＩＤ番号を元に各ＤＢから抽出した情報を利用する。
【０１３３】
機器情報一覧には、ＲＦＩＤリーダから読み取ったＲＦＩＤ番号に関連付けられた物品を含む機器に導入されている本体−ＲＦＩＤ−細分項目の情報一覧と、ＲＦＩＤリーダから読み取ったＲＦＩＤ番号に関連付けられた物品を含む機器に導入されている本体−細分項目の情報一覧と、機器本体に紐付けられている画像情報を表示する。
【０１３４】
ｂ）図１９は、ソフト一覧画面の画面フォーマットの一例を示す図である。
同図において、表示対象はＲＦＩＤリーダから読み込んだＲＦＩＤ番号を元に各ＤＢから抽出した情報を利用する。
【０１３５】
ソフト一覧には、ＲＦＩＤリーダから読み取ったＲＦＩＤ番号に関連付けられた物品を含む機器に導入されているソフト情報の一覧を含む。
【０１３６】
ｃ）図２０は、機器情報割当画面の画面フォーマットの一例を示す図である。
同図において、機器およびＲＦＩＤで管理された物品の画像一覧、および、「細分項目ＮＯ」を「ＲＦＩＤ  ＮＯ」や画像枠に対して登録・修正できる画面によって物品管理を行う。動画が存在する場合には動画の再生を可能とし、納入時の瑕疵責任有無確認などに活用する。表示対象はＲＦＩＤリーダから読み込んだＲＦＩＤ番号を元に各ＤＢから抽出した情報を利用する。
【０１３７】
機器情報一覧には、ＲＦＩＤリーダから読み取ったＲＦＩＤ番号に関連付けられた物品を含む機器−ＲＦＩＤについての情報一覧を含む。
画像枠を選択してから、紐付ける「細分項目ＮＯ」に該当する物品を選択し、画像枠と「細分項目ＮＯ」の紐付け管理ができる。
【０１３８】
「ＲＦＩＤ ＮＯ」に対して、紐付ける「細分項目ＮＯ」に該当する物品を選択し、「ＲＦＩＤ ＮＯ」と「細分項目ＮＯ」の紐付け管理ができる。
【０１３９】
なお、上述したように、情報取込処理部、端末検出処理部、画像処理部、資産管理処理部は、情報処理部の機能を実現するプログラムはＲＯＭにインストールされ、ＣＰＵとメモリを用いて実行される。これらのプログラムは、ＣＤ−ＲＯＭ、ＦＤ、ＤＶＤなどのコンピュータ読み取り可能な記録媒体やインターネットなどのネットワークを介して利用者に提供することができる。
【図面の簡単な説明】
【０１４０】
【図１】本発明におけるハードウェアとソフトウェアの全体構成図である。
【図２】本発明におけるＰＣ購入時における機器管理処理の流れを示した図である。
【図３】本発明にて使用するＤＢの関連図である。
【図４】本発明による情報取込処理部における情報取込処理のフローチャートである。
【図５】本発明による端末検出処理部における端末検出処理のフローチャートである。
【図６】本発明による画像処理部における画像取込処理のフローチャートである。
【図７−Ａ】本発明による画像処理部における画像枠判定処理のフローチャートである。
【図７−Ｂ】本発明による画像処理部における画像枠判定処理のイメージを示す図である。
【図８】本発明による資産管理処理部における一覧表示処理のフローチャートである。
【図９】本発明による資産管理処理部における画像枠登録処理のフローチャートである。
【図１０】本発明による資産管理処理部における細分登録処理のフローチャートである。
【図１１−Ａ】本発明に使用する購買情報ＤＢのＤＢフォーマットを説明するための図である（各項目の意味）。
【図１１−Ｂ】本発明に使用する購買情報ＤＢのＤＢフォーマットを説明するための図である（具体的な例）。
【図１２−Ａ】本発明に使用する接続情報ＤＢのＤＢフォーマットを説明するための図である（各項目の意味）。
【図１２−Ｂ】本発明に使用する接続情報ＤＢのＤＢフォーマットを説明するための図である（具体的な例）。
【図１３−Ａ】本発明に使用する機器ＤＢのＤＢフォーマットを説明するための図である（各項目の意味）。
【図１３−Ｂ】本発明に使用する機器ＤＢのＤＢフォーマットを説明するための図である（具体的な例）。
【図１４−Ａ】本発明に使用する細分ＤＢのＤＢフォーマットを説明するための図である（各項目の意味）。
【図１４−Ｂ】本発明に使用する細分ＤＢのＤＢフォーマットを説明するための図である（具体的な例）。
【図１５−Ａ】本発明に使用するソフトＤＢのＤＢフォーマットを説明するための図である（各項目の意味）。
【図１５−Ｂ】本発明に使用するソフトＤＢのＤＢフォーマットを説明するための図である（具体的な例）。
【図１６−Ａ】本発明に使用する画像ＤＢのＤＢフォーマットを説明するための図である（各項目の意味）。
【図１６−Ｂ】本発明に使用する画像ＤＢのＤＢフォーマットを説明するための図である（具体的な例）。
【図１７−Ａ】本発明に使用する画像枠ＤＢのＤＢフォーマットを説明するための図である（各項目の意味）。
【図１７−Ｂ】本発明に使用する画像枠ＤＢのＤＢフォーマットを説明するための図である（具体的な例）。
【図１８】本発明による機器情報一覧画面の画面フォーマットを説明するための図である。
【図１９】本発明によるソフト一覧画面の画面フォーマットを説明するための図である。
【図２０】本発明による機器割当画面の画面フォーマットを説明するための図である。
【符号の説明】
【０１４１】
１０１：一組として取り扱われる管理対象となる機器全体
１０１Ａ：ディスプレイ装置
１０１Ｂ：ＰＣ本体
１０１Ｃ：マウス
１０１Ｄ：キーボード
１０１Ｅ：外付けＨＤ装置
１０１Ｆ：ＨＤ装置（予備）
１０２：ＲＦＩＤタグ
１０３，３０１，４０１：購買情報ＤＢ
１０４，３０２，５０１：接続情報ＤＢ
１０５：ＰＤＡのＲＦＩＤリーダ機能
１０６：ＰＤＡ
１０７：備品管理システム全体
１０８：情報取込処理部
１０９：端末検出処理部
１１０：画像処理部
１１１：資産管理処理部
１１２，３０３，４０５，４１０，５０５，５０９，８０８，９０８：機器ＤＢ
１１３，３０４，４１２，４１７，５１１，８１０，８２４，９１０，１００４，１００８，１０１４：細分ＤＢ
１１４，３０５，５１３，５１６，８１９：ソフトＤＢ
１１５，３０６，６０７，６１０，７０２，８１２，８２６，９１２：画像ＤＢ
１１６，３０７，７０８，８１４，９０４，９１６：画像枠ＤＢ
【図１】
2008152427.tif 000003
【図２】
2008152427.tif 000004
【図３】
2008152427.tif 000005
【図４】
2008152427.tif 000006
【図５】
2008152427.tif 000007
【図６】
2008152427.tif 000008
【図７−Ａ】
2008152427.tif 000009
【図７−Ｂ】
2008152427.tif 000010
【図８】
2008152427.tif 000011
【図９】
2008152427.tif 000012
【図１０】
2008152427.tif 000013
【図１１−Ａ】
2008152427.tif 000014
【図１１−Ｂ】
2008152427.tif 000015
【図１２−Ａ】
2008152427.tif 000016
【図１２−Ｂ】
2008152427.tif 000017
【図１３−Ａ】
2008152427.tif 000018
【図１３−Ｂ】
2008152427.tif 000019
【図１４−Ａ】
2008152427.tif 000020
【図１４−Ｂ】
2008152427.tif 000021
【図１５−Ａ】
2008152427.tif 000022
【図１５−Ｂ】
2008152427.tif 000023
【図１６−Ａ】
2008152427.tif 000024
【図１６−Ｂ】
2008152427.tif 000025
【図１７−Ａ】
2008152427.tif 000026
【図１７−Ｂ】
2008152427.tif 000027
【図１８】
2008152427.tif 000028
【図１９】
2008152427.tif 000029
【図２０】
2008152427.tif 000030